(57)【要約】【課題】  動作中の搬送コンベア上の廃棄混合物の上方の部分に位置するプラスチックフィルム、紙くず、木くず等の見かけ比重の小さい処理物の除去が人力や風力を利用したかたちで行われることが通常であったが、人力によるための体力的限界や、風力による粉塵の発生等環境保全を悪化する傾向がみられ、その改善が望まれていた。【解決手段】    枠体に回動自在に軸支される駆動ローラーと従動ローラーによって周動自在に張られた無限駆動ベルトに、そのベルト幅に適した縦列数と隣接間隔で可撓性を有する掻き取り鉤を設けてなる掻き取り機構を、動作中のコンベア上部に適宜な間隔を離し、交差状に設置して、比重の小さい処理物をコンベア搬送面上から機械的に連続して排除する構成。【選択図】図１
2007216199.tif 000002
【特許請求の範囲】
【請求項１】
枠体に回動自在に軸支される駆動ローラーと従動ローラーによって周動自在に張られた無限駆動ベルトに、そのベルト幅に適した縦列数と隣接間隔で可撓性を有する掻き取り鉤を設けてなる掻き取り機構。
【請求項２】
組付け座部と鉤部及び可撓部を有する掻き取り鉤において、無限駆動ベルトに接する位置に可撓部を位置せしめ、処理対象物によって掻き取り鉤に惹起される偶力を無限駆動ベルトに着力させる支持点を構成し、該偶力に抗することが可能な位置に、支持点と適宜な間隔を置いて組付け座を設ける。加えて取付け座は掻きり取鉤の駆動方向に対して直行する方向への変位による作用力に抗するべく、該直行方向に適宜な長さに形成して、複数の釘鋲による組付けを可能とした構成による掻き取り鉤。
【請求項３】
複数の釘鋲によって組付け締結する座金によって、その一端部と自由状態に復帰しようとする掻きり取り鉤を当接させて支持することにより、無限駆動ベルトに約鉛直状態に組付けられる掻き取り鉤の姿勢位置を常態に復元・維持することを特徴とする掻き取り機構。
【請求項４】
掻き取り鉤の動作により、掻き取り鉤に係合した処理物を排除する目的で、掻き取り鉤の固着縦列数とその位置に合った複数の溝部を有する櫛歯状の排除桿を設け、該溝部の先端と動作中の掻き取り鉤との係合を無限駆動ベルトにより近い区分から開始し、掻き取り鉤の鉤部先端に向けて処理物を擦りとる動きを特徴とする掻き取り機構。
【発明の詳細な説明】
【技術分野】
【０００１】  本発明は動作中の搬送コンベア上の混合した処理物の中から、見かけ比重の小さい処理物（以下軽比重物）を除去する掻き取り機構に関する。
【背景技術】
【０００２】  搬送コンベア上の混合した処理物中から再利用物や焼却不要物及び埋立て処分物等に分別する処理作業が廃棄物処理業界において行われている。【０００３】  従来搬送コンベア上の混合しった処理物からのプラスチック、紙くず、木くず等の軽比重物の分別は人力のほか風力を用いて行われることが一般的であった。【０００４】  人力による分別は体力や気力に限界があるため、長時間で、安定した分別を維持することが難しく、それなりに人件費も要していた。【０００５】  風力による分別は土砂状の物質と軽比重物が混ざり合った状態の中から効率よく軽比重物を摘出除去することには限界があり、付随した負の効果として混合した処理物中の粉粒物を風力で巻き上げて、粉塵を発生するなど周辺の作業環境を悪化させる傾向もあった。【０００６】  混合した処理物を機械的に積替え処理しつつ搬送する場合、軽比重物は混合した処理物中の表面に近い上方部分に介在する傾向が経験的に認められていた。
【発明の開示】
【発明が解決しようとする課題】
【０００７】  体力や気力に限界がある人力分別に代えて、この分別過程を継続的に安定して行うため、機械的に分別処理する効率のよい機構の提供。【０００８】  風力分別による作業環境への影響に比較して、作業環境への影響を改善する効果の享受できる機構の提供。
【課題を解決するための手段】
【０００９】  連続して移行動作する搬送コンベア上で搬送される混合処理物中の軽比重物を、具体的に掻き取り分離する掻き取り鉤を有する無限駆動ベルトを搬送コンベア上部に交差する状態で設け、機械的に連続して掻き取り鉤を混合処理物に当接させ、掻き取り鉤に軽比重物を係合して搬送コンベア外に排除分別する技術構想を提供する。【００１０】  枠体に回動自在に軸支される駆動ローラーと従動ローラー及び補助ローラーによって周動自在に張られた無限駆動ベルトに、そのベルト幅に適した縦列数と隣接間隔で可撓性を有する掻き取り鉤を多数固着して設けて成る掻き取り機構。【００１１】  組付座部と可撓部および鉤部を有する掻き取り鉤において、無限駆動ベルトに接する位置に可撓部を位置せしめ、処理対象の軽比重物によって掻き取り鉤に惹起される偶力を無限駆動ベルトに着力させる支持点を構成し、該偶力に抗することが可能な位置に、支持点と適宜な間隔を置いて組付座を設ける。加えて取り付け座には掻き取り鉤の駆動方向に対して直行する方向への変位による直行方向作用力に抗するべく、該直行方向に適宜な長さに形成して、複数の釘鋲による組付けを可能とした掻き取り鉤。【００１２】  複数の釘鋲によって組付け座を締結する座金の端部と自由状態に復帰しようとする掻き取り鉤を当接させて支持することにより、無限駆動ベルトに約鉛直状態に組付けられた掻き取り鉤の姿勢位置を常態に復元・維持することを特徴とする掻き取り機構。【００１３】  掻き取り鉤の動作により、掻き取り鉤に係合した軽比重物を排除する目的で、掻き取り鉤の縦列数とその位置に合った複数の溝部を有する櫛歯状の排除捍を設け、該溝部の先端と動作中の掻き取り鉤との係合を無限駆動ベルトにより近い部分から開始し、掻き取り鉤の鉤部先端に向けて処理物を擦りとることを特徴とする掻き取り機構。【００１４】  複数設ける補助ローラーは、搬送コンベア断面上部形状及び掻き取り機構の交差方向により、かつ搬送コンベア上の混合処理物中の軽比重物をより効率よく排除する状況を考慮して、その高さ位置を調整して無限駆動ベルトの張りを調整する。
【発明の効果】
【００１５】  連続して移動する搬送コンベア上の混合した処理物中の軽比重物を、具体的に掻き出す掻き取り鉤を多数有する無限駆動ベルトを搬送コンベアに交差して設け、機械的に連続して処理物に当接させ、掻き取り鉤に軽比重物を係合して搬送コンベア外に分別除去することが可能。搬送処理物中の高比重物と絡み合っている軽比重物であっても、その絡みを排除捍に対する掻き取り鉤の作動と作用力で解除しつつ擦り取ることが出来るので、より効率のよい分別排除が得られる。【００１６】  人力による軽比重物の排除に比較して、機械式である故に長時間連続して安定した排除を現出できる。【００１７】  櫛歯状の排除捍を設けることによって掻き取り鉤に係留する軽比重物は大方擦り取られるので、軽比重物は搬送コンベア外へ効率よく排除できる。【００１８】  風力による分別方式では、軽比重物以外の微細な土砂類粉粒物類を共に巻き上げて風下方向に粉塵を飛散してしまうのに対し、掻き取り鉤は軽比重物以外の粉粒物は、掻き取り鉤の太さに係る区分で粉塵を発生することが考慮されるのみなので、粉塵の発生は少ないと推測できる。【００１９】  駆動ローラーと従動ローラーで駆動される無限駆動ベルトの周動軌跡は補助ローラーによって変化することができる。搬送コンベアの上面部断面形状や搬送コンベアと掻き取り鉤機構の交差方向等にあわせて補助ローラーの位置を定めることにより、もっとも優位で効率のよい掻き取り鉤の運動軌跡を設定することが可能。
【発明を実施するための最良の形態】
【００２０】  以下本発明の実施の形態として実施例を図１、図２に基づいて説明する。【００２１】  図１において枠体３には駆動ローラー４と従動ローラー５を回動自在に軸支し、２のローラーの外径部に無限駆動ベルト７を装着係合する。。【００２２】  駆動ローラー４は図示していない駆動モーターにより無限駆動ベルト７の駆動速度に似合った回転数で運転される。【００２３】  無限駆動ベルト７の移行方向及び張力の調整は図示していない調整装置で従動ローラー５の軸の両端を位置移動することにより、駆動ローラー４との間隔を調整して成される。【００２４】  枠体３には補助ローラー６を適宜な数だけ設け、その間隔及び高さを調整してその位置を定める。搬送コンベア１の上面部断面形状や搬送コンベア１と掻き取鉤機構の交差方向等にあわせて補助ローラー６の位置を調整することにより、もっとも効率のよい掻き取り鉤８の運動軌跡を設定する。【００２５】  枠体３に回動自在に軸支される駆動ローラー４と従動ローラー５及び補助ローラー６によって周動自在に張られた無限駆動ベルト７の外周面に、そのベルト幅と周長に適した縦列数と隣接間隔で、可撓性を有する掻き取り鉤８を多数設けて掻き取り機構を構成する。【００２６】  動作する無限駆動ベルト７に設けた、軽比重物２を係合した多数の掻き取り鉤８を枠体３に固着した櫛型状の排除捍１０の溝部に進入係合させることにより自動的に排除できる。【００２７】  排除捍１０の掻き取り鉤８との係合開始点は、掻き取り鉤８の取付け部に当接しないで、かつ無限駆動ベルト７により接近する位置とし、掻き取り鉤８に係合した軽比重物２を掻き取り鉤８の鉤部１３の先端に向かって自動的に擦り取る位置で完了する。従って排除捍１０は掻き取り鉤８移行動作に伴って自動的に排除できる断面的形状に形成する。【００２８】  掻き取り鉤８は取付座１１、可撓部１２及び鉤部１３で形成される。【００２９】  取付座１１は掻き取り鉤８が進行方向に対して左右に揺動する作用力に対処するために掻き取り方向と直行する方向に適宜な長さに形成し、複数の釘鋲９により無限駆動ベルト７に固着される。【００３０】  可撓部１２はねじりコイルバネ等とし、その撓みによる作用力は鉤部１３が搬送コンベア２上の軽比重物２を必要以上に掻き取らないよう、撓んで逃げる動作が可能な作用力に設定する。【００３１】  可撓部１２は取付座１１より適宜な距離を離して位置せしめることにより、鉤部１３に軽比重物２が係合して掻き取り鉤８に生じる偶力を、可撓部１２と無限駆動ベルト７との当接部で受け止める構造と成し、取付座１１部を無限駆動ベルト７に固着する釘鋲９には、その軸方向に張力が働くのみとなるので、無限駆動ベルト７と釘鋲９に掛かる負荷力を単純化し，小さくする結果となる。【００３２】  複数の釘鋲９によって組付け座１１部を締結する座金１４の一端部に、可撓部１２の復元作用で自由状態に復帰しようとする掻き取り鉤８の一部分を当接して支えることにより、無限駆動ベルト７に約鉛直状態に組付けられる掻き取り鉤８の姿勢位置を常態に復元・維持することができる。【００３３】  掻き取り鉤８は自由状態ではわずかな作用力でも可撓部１２が作動して撓んでしまうので、無限駆動ベルト��に約鉛直状態に組付けたい掻き取り鉤８の姿勢位置と掻き取り鉤８に適宜な偶力を生じる位置まで変位した状態を一致させて、掻き取り鉤８を無限駆動ベルト７固着することを目的として座金１４の形状を設定する。
【図面の簡単な説明】
【００３４】
【図１】本発明の実施例を示す側方断面図。
【図２】本発明の掻き取鉤の実施例を示す上面図／側面図。
【符号の説明】
【００３５】          １                搬送コンベア
２                軽比重物
３                枠体
４                駆動ローラー
５                柔道ローラー
６                補助ローラー
７                無限駆動ベルト
８                掻き取り鉤
９                釘鋲
１０              排除捍
１１              取付座
１２              可撓部
１３              鉤部
１４              座金
【図１】
2007216199.tif 000003
【図２】
2007216199.tif 000004